(57)【要約】【課題】ユーザインターフェースの設定や設定の呼び出しを行うことなく、ユーザにとって使い勝手のよいユーザインターフェースを提供する。【解決手段】無線タグ回路素子Ｔoは、ユーザインターフェースを備え、表示機能、印字機能、音声発生機能の動作機能うち少なくとも２つを備えた１つの複合機２に関し、各動作機能毎に個別に設定されたユーザインターフェースの設定情報を記憶保持しており、複合機２はこの無線タグ回路素子Ｔoとの間で無線通信により情報の送受信を行うアンテナユニット９を有し、アンテナユニット９を介して無線タグ回路素子Ｔoからユーザインターフェース設定情報を取得し、取得したユーザインターフェース設定情報に基づき、対応するユーザインターフェースの設定処理を実行する。【選択図】図５
2008305092.tif 000002
【特許請求の範囲】
【請求項１】
情報を記憶可能なＩＣ回路部と情報を送受信可能なタグ側アンテナとを備えた無線タグ回路素子を有し、
前記ＩＣ回路部は、
ユーザインターフェースを備え、複数の動作を行う１つの機器に関し、各動作毎に個別に設定された前記ユーザインターフェースの設定情報を記憶保持していることを特徴とする無線タグ。
【請求項２】
請求項１記載の無線タグにおいて、
前記ＩＣ回路部は、
前記複数の動作として、表示動作、印字動作、音声発生動作のうち少なくとも２つに関し、各動作毎に個別に設定された前記ユーザインターフェースの設定情報を記憶保持していることを特徴とする無線タグ。
【請求項３】
情報を記憶可能なＩＣ回路部と情報を送受信可能なタグ側アンテナとを備えた無線タグ回路素子を有し、
前記ＩＣ回路部は、
ユーザインターフェースをそれぞれ備えた複数の機器に関し、各機器毎に個別に設定された前記ユーザインターフェースの設定情報を記憶保持していることを特徴とする無線タグ。
【請求項４】
請求項３記載の無線タグにおいて、
前記ＩＣ回路部は、
前記複数の機器として、ファックス機、プリンタ、コピー機、電話機のうち少なくとも２つに関し、各機器毎に個別に設定された前記ユーザインターフェースの設定情報を記憶保持していることを特徴とする無線タグ。
【請求項５】
情報を記憶可能なＩＣ回路部と情報を送受信可能なタグ側アンテナとを備えた無線タグ回路素子を有し、
前記ＩＣ回路部は、
ユーザインターフェースを備え、ファックス機能、プリンタ機能、コピー機能を有する１つの複合機に関し、各機能毎に個別に設定された前記ユーザインターフェースの設定情報を記憶保持していることを特徴とする無線タグ。
【請求項６】
情報を記憶可能なＩＣ回路部と情報を送受信可能なタグ側アンテナとを備えた無線タグ回路素子を有し、
前記ＩＣ回路部は、
ユーザインターフェースを備え、複数の操作用ソフトウェアを用いて動作可能な機器に関し、各ソフトウェア毎に個別に設定された前記ユーザインターフェースの設定情報を記憶保持していることを特徴とする無線タグ。
【請求項７】
請求項６記載の無線タグにおいて、
前記ＩＣ回路部は、
前記複数の操作用ソフトウェアとして、文書作成用ソフトウェア、電子メール送受信用ソフトウェア、ホームページ閲覧用ソフトウェアのうち少なくとも２つに関し、各ソフトウェア毎に個別に設定された前記ユーザインターフェースの設定情報を記憶保持していることを特徴とする無線タグ。
【請求項８】
請求項１乃至請求項７のいずれか１項記載の無線タグにおいて、
前記ＩＣ回路部は、
前記ユーザインターフェースの設定情報として、表示文字の大きさ設定情報、印字文字の大きさ設定情報、発生音声の大きさ設定情報のうち、少なくとも１つを記憶保持していることを特徴とする無線タグ。
【請求項９】
ユーザインターフェースを備え、複数の動作を行う無線タグ読み取り機能付き機器であって、
少なくとも、前記複数の動作に含まれる各動作毎に個別に設定された前記ユーザインターフェースの設定情報を記憶保持している無線タグとの間で無線通信により情報の送受信を行う第１機器側アンテナと、
前記第１機器側アンテナを介し、前記無線タグから前記ユーザインターフェース設定情報を取得する第１情報取得手段と、
この第１情報取得手段で取得した前記ユーザインターフェース設定情報に基づき、対応する前記ユーザインターフェースの設定処理を実行する第１設定処理手段と
を有することを特徴とする無線タグ読み取り機能付き機器。
【請求項１０】
請求項９記載の無線タグ読み取り機能付き機器において、
前記複数の動作として、表示動作、印字動作、音声発生動作のうち少なくとも２つを備えていることを特徴とする無線タグ読み取り機能付き機器。
【請求項１１】
ユーザインターフェースを備えた無線タグ読み取り機能付き機器であって、
少なくとも、前記無線タグ読み取り機能付き機器と、これと異なる他の無線タグ読み取り機能付き機器とを含む複数の機器のそれぞれ毎に個別に設定された前記ユーザインターフェースの設定情報を記憶保持している無線タグとの間で無線通信により情報の送受信を行う第２機器側アンテナと、
前記第２機器側アンテナを介し、前記無線タグから前記ユーザインターフェース設定情報を取得する第２情報取得手段と、
この第２情報取得手段で取得した前記ユーザインターフェース設定情報に基づき、対応する前記ユーザインターフェースの設定処理を実行する第２設定処理手段と
を有することを特徴とする無線タグ読み取り機能付き機器。
【請求項１２】
ユーザインターフェースを備え、複数の操作用ソフトウェアを用いて動作可能な無線タグ読み取り機能付き機器であって、
少なくとも、前記複数の操作用ソフトウェアに含まれる各ソフトウェア毎に個別に設定された前記ユーザインターフェースの設定情報を記憶保持しているＩＣ回路部を備えた無線タグとの間で無線通信により情報の送受信を行う第３機器側アンテナと、
前記第３機器側アンテナを介し、前記無線タグから前記ユーザインターフェース設定情報を取得する第３情報取得手段と、
この第３情報取得手段で取得した前記ユーザインターフェース設定情報に基づき、対応する前記ユーザインターフェースの設定処理を実行する第３設定処理手段と
を有することを特徴とする無線タグ読み取り機能付き機器。
【請求項１３】
請求項１２記載の無線タグ読み取り機能付き機器において、
前記複数の操作用ソフトウェアとして、文書作成用ソフトウェア、電子メール送受信用ソフトウェア、ホームページ閲覧用ソフトウェアのうち少なくとも２つを用いて動作可能に構成されたことを特徴とする無線タグ読み取り機能付き機器。
【請求項１４】
請求項９乃至請求項１３のいずれか１項記載の無線タグ読み取り機能付き機器において、
ファックス機、プリンタ、コピー機、電話機のうちいずれかであることを特徴とする無線タグ読み取り機能付き機器。
【請求項１５】
請求項９乃至請求項１３のいずれか１項記載の無線タグ読み取り機能付き機器において、
ファックス機能、プリンタ機能、及びコピー機能を備えた複合機であることを特徴とする無線タグ読み取り機能付き機器。
【請求項１６】
請求項９乃至請求項１５のいずれか１項記載の無線タグ読み取り機能付き機器において、
前記第１設定処理手段、又は前記第２設定処理手段、若しくは前記第３設定処理手段は、前記ユーザインターフェースの設定処理として、表示文字の大きさ設定情報、印字文字の大きさ設定情報、発生音声の大きさ設定情報のうち、少なくとも１つの設定処理を行うことを特徴とする無線タグ読み取り機能付き機器。
【発明の詳細な説明】
【技術分野】
【０００１】
本発明は、無線通信を介し外部と情報送受信可能な無線タグ、及び、この無線タグに対し情報読み取り可能な無線タグ読み取り機能付き機器に関する。
【背景技術】
【０００２】
従来より、種々の電子機器において、機器の設定や状態などを表示装置に表示することによってユーザに知らせたり、ユーザからの指示をスイッチ等の入力装置から入力したりしている。こうした電子機器では、ユーザが使いやすいように報知方法や入力方法などのユーザインターフェースを設計している。このようなユーザインターフェースを、ユーザによって設定可能とした電子機器も既に提唱されている（例えば、特許文献１参照）。
【特許文献１】特開２００４−３２００８６号公報
【発明の開示】
【発明が解決しようとする課題】
【０００３】
上記従来技術においては、例えば、複数の言語による報知を可能に構成した電子機器で、報知を行う言語をユーザが設定可能としたものや、ユーザ毎にユーザインターフェースの設定を可能とした技術が開示されている。また例えば、ファックスやプリンタなどといった電子機器において、現在の通信状況、印刷状況、設定内容などの報知方法に関して、ユーザの好みに応じた設定を可能として、使い勝手を向上させたものも開示されている。
【０００４】
しかしながら、上記従来の電子機器では、各人が自己の好みのユーザインターフェースを利用するために、ユーザは、機器上のパネル等を操作して、ユーザ毎のユーザインターフェース設定を行ったり、ユーザが機器に設定しておいた自己のユーザインターフェース設定を呼び出して利用したりする必要があり、その手間が煩雑であった。
【０００５】
本発明の目的は、煩わしい設定等の手間を必要とせず、ユーザにとって使い勝手のよいユーザインターフェースを簡単に提供できる無線タグを提供することにある。
【課題を解決するための手段】
【０００６】
上記目的を達成するために、第１の発明は、情報を記憶可能なＩＣ回路部と情報を送受信可能なタグ側アンテナとを備えた無線タグ回路素子を有し、前記ＩＣ回路部は、ユーザインターフェースを備え、複数の動作を行う１つの機器に関し、各動作毎に個別に設定された前記ユーザインターフェースの設定情報を記憶保持していることを特徴とする。
【０００７】
本願第１発明の無線タグにおいては、ＩＣ回路部に、１つの機器のユーザインターフェースの設定情報が記憶されている。したがって、その機器をユーザが使用する際には、無線タグのＩＣ回路部に対し情報読み取りを行い当該機器においてユーザインターフェースの設定情報を取得させることで、自動的にその機器を当該ユーザに最も適したユーザインターフェースとすることができる。この結果、わずらわしいユーザインターフェースの設定や設定の呼び出しを行うことなく、ユーザにとって使い勝手のよいユーザインターフェースを提供することができる。また、ユーザインターフェースの設定を、当該機器に備えられた各動作動作ごとに個別に設定できるので、さらにきめ細かな設定が可能となり、利便性を向上することができる。
【０００８】
第２発明は、上記第１発明において、前記ＩＣ回路部は、前記複数の動作として、表示動作、印字動作、音声発生動作のうち少なくとも２つに関し、各動作毎に個別に設定された前記ユーザインターフェースの設定情報を記憶保持していることを特徴とする。
【０００９】
ユーザインターフェースの設定を、当該機器に備えられた表示動作、印字動作、音声発生動作ごとに個別に設定でき、利便性を向上することができる。
【００１０】
上記目的を達成するために、第３の発明は、情報を記憶可能なＩＣ回路部と情報を送受信可能なタグ側アンテナとを備えた無線タグ回路素子を有し、前記ＩＣ回路部は、ユーザインターフェースをそれぞれ備えた複数の機器に関し、各機器毎に個別に設定された前記ユーザインターフェースの設定情報を記憶保持していることを特徴とする。
【００１１】
本願第３発明の無線タグにおいては、ＩＣ回路部に、複数の機器のユーザインターフェースの設定情報が記憶されている。したがって、そのうち１つの機器をユーザが使用する際には、無線タグのＩＣ回路部に対し情報読み取りを行い当該機器においてユーザインターフェースの設定情報を取得させることで、自動的にその機器を当該ユーザに最も適したユーザインターフェースとすることができる。この結果、わずらわしいユーザインターフェースの設定や設定の呼び出しを行うことなく、ユーザにとって使い勝手のよいユーザインターフェースを提供することができる。また、この無線タグ１つを用いて、当該機器を含む複数の機器について各機器ごとにユーザインターフェースを個別に設定できる。したがって、各機器ごとにユーザインターフェース設定のためにそれぞれ無線タグを用意する必要がなく、さらに利便性を向上することができる。
【００１２】
第４発明は、上記第３発明において、前記ＩＣ回路部は、前記複数の機器として、ファックス機、プリンタ、コピー機、電話機のうち少なくとも２つに関し、各機器毎に個別に設定された前記ユーザインターフェースの設定情報を記憶保持していることを特徴とする。
【００１３】
この無線タグ１つを用いて、ファックス機、プリンタ、コピー機、電話機等の複数の機器について各機器ごとにユーザインターフェースを個別に設定できる。したがって、各機器ごとにユーザインターフェース設定のためにそれぞれ無線タグを用意する必要がなく、さらに利便性を向上することができる。
【００１４】
上記目的を達成するために、第５発明は、情報を記憶可能なＩＣ回路部と情報を送受信可能なタグ側アンテナとを備えた無線タグ回路素子を有し、前記ＩＣ回路部は、ユーザインターフェースを備え、ファックス機能、プリンタ機能、コピー機能を有する１つの複合機に関し、各機能毎に個別に設定された前記ユーザインターフェースの設定情報を記憶保持していることを特徴とする。
【００１５】
本願第５発明の無線タグにおいては、ＩＣ回路部に、１つの複合機のユーザインターフェースの設定情報が記憶されている。したがって、その複合機をユーザが使用する際には、無線タグのＩＣ回路部に対し情報読み取りを行い当該機器においてユーザインターフェースの設定情報を取得させることで、自動的にその機器を当該ユーザに最も適したユーザインターフェースとすることができる。この結果、わずらわしいユーザインターフェースの設定や設定の呼び出しを行うことなく、ユーザにとって使い勝手のよいユーザインターフェースを提供することができる。また、ユーザインターフェースの設定を、その１つの複合機におけるファックス機能、プリンタ機能、コピー機能の各機能ごとに個別に設定できるので、さらにきめ細かな設定が可能となり、利便性を向上することができる。
【００１６】
上記目的を達成するために、第６発明は、情報を記憶可能なＩＣ回路部と情報を送受信可能なタグ側アンテナとを備えた無線タグ回路素子を有し、前記ＩＣ回路部は、ユーザインターフェースを備え、複数の操作用ソフトウェアを用いて動作可能な機器に関し、各ソフトウェア毎に個別に設定された前記ユーザインターフェースの設定情報を記憶保持していることを特徴とする。
【００１７】
本願第６発明の無線タグにおいては、ＩＣ回路部に、１つの機器のユーザインターフェースの設定情報が記憶されている。したがって、その機器をユーザが使用する際には、無線タグのＩＣ回路部に対し情報読み取りを行い当該機器においてユーザインターフェースの設定情報を取得させることで、自動的にその機器を当該ユーザに最も適したユーザインターフェースとすることができる。この結果、わずらわしいユーザインターフェースの設定や設定の呼び出しを行うことなく、ユーザにとって使い勝手のよいユーザインターフェースを提供することができる。また、ユーザインターフェースの設定を、当該機器において使用可能な操作ソフトウェアごとに個別に設定できるので、各種用途等に応じてさらにきめ細かな設定が可能となり、利便性を向上することができる。
【００１８】
第７発明は、上記第６発明において、前記ＩＣ回路部は、前記複数の操作用ソフトウェアとして、文書作成用ソフトウェア、電子メール送受信用ソフトウェア、ホームページ閲覧用ソフトウェアのうち少なくとも２つに関し、各ソフトウェア毎に個別に設定された前記ユーザインターフェースの設定情報を記憶保持していることを特徴とする。
【００１９】
ユーザインターフェースの設定を、文書作成用ソフトウェア、電子メール送受信用ソフトウェア、ホームページ閲覧用ソフトウェア等のそれぞれごとに個別に設定できるので、各種用途等に応じてさらにきめ細かな設定が可能となり、利便性を向上することができる。
【００２０】
第８発明は、上記第１乃至第７発明のいずれかにおいて、前記ＩＣ回路部は、前記ユーザインターフェースの設定情報として、表示文字の大きさ設定情報、印字文字の大きさ設定情報、発生音声の大きさ設定情報のうち、少なくとも１つを記憶保持していることを特徴とする。
【００２１】
これにより、機器をユーザが使用する際には、無線タグのＩＣ回路部に対し情報読み取りを行い当該機器においてユーザインターフェースの設定情報を取得させることで、自動的にその機器を当該ユーザに最も適した大きさの表示文字、又は印字文字、あるいは発生音声に設定することができる。
【００２２】
上記目的を達成するために、第９発明は、ユーザインターフェースを備え、複数の動作を行う無線タグ読み取り機能付き機器であって、少なくとも、前記複数の動作に含まれる各動作毎に個別に設定された前記ユーザインターフェースの設定情報を記憶保持している無線タグとの間で無線通信により情報の送受信を行う第１機器側アンテナと、前記第１機器側アンテナを介し、前記無線タグから前記ユーザインターフェース設定情報を取得する第１情報取得手段と、この第１情報取得手段で取得した前記ユーザインターフェース設定情報に基づき、対応する前記ユーザインターフェースの設定処理を実行する第１設定処理手段とを有することを特徴とする。
【００２３】
本願第９発明においては、無線タグに、１つの機器のユーザインターフェースの設定情報が記憶されている。したがって、その機器をユーザが使用する際には、第１機器側アンテナを介し無線タグに対し情報読み取りを行い、第１情報取得手段でユーザインターフェースの設定情報を取得する。そして、その取得した情報に基づき、第１設定処理手段で対応するユーザインターフェースの設定処理を実行する。これにより、自動的にその機器を当該ユーザに最も適したユーザインターフェースとすることができる。この結果、わずらわしいユーザインターフェースの設定や設定の呼び出しを行うことなく、ユーザにとって使い勝手のよいユーザインターフェースを提供することができる。また、ユーザインターフェースの設定を、当該機器に備えられた各動作ごとに個別に設定できるので、さらにきめ細かな設定が可能となり、利便性を向上することができる。
【００２４】
第１０発明は、上記第９発明において、前記複数の動作として、表示動作、印字動作、音声発生動作のうち少なくとも２つを備えていることを特徴とする。
【００２５】
これにより、ユーザインターフェースの設定を、表示動作、印字動作、音声発生動作ごとに個別に設定でき、利便性を向上することができる。
【００２６】
上記目的を達成するために、第１１発明は、ユーザインターフェースを備えた無線タグ読み取り機能付き機器であって、少なくとも、前記無線タグ読み取り機能付き機器と、これと異なる他の無線タグ読み取り機能付き機器とを含む複数の機器のそれぞれ毎に個別に設定された前記ユーザインターフェースの設定情報を記憶保持している無線タグとの間で無線通信により情報の送受信を行う第２機器側アンテナと、前記第２機器側アンテナを介し、前記無線タグから前記ユーザインターフェース設定情報を取得する第２情報取得手段と、この第２情報取得手段で取得した前記ユーザインターフェース設定情報に基づき、対応する前記ユーザインターフェースの設定処理を実行する第２設定処理手段とを有することを特徴とする。
【００２７】
本願第１１発明においては、無線タグに、複数の機器のユーザインターフェースの設定情報が記憶されている。したがって、その複数の機器に含まれる１つの機器をユーザが使用する際には、第２機器側アンテナを介し無線タグに対し情報読み取りを行い、第２情報取得手段でユーザインターフェースの設定情報を取得する。そして、その取得した情報に基づき、第２設定処理手段で対応するユーザインターフェースの設定処理を実行する。これにより、自動的にその機器を当該ユーザに最も適したユーザインターフェースとすることができる。この結果、わずらわしいユーザインターフェースの設定や設定の呼び出しを行うことなく、ユーザにとって使い勝手のよいユーザインターフェースを提供することができる。また、１つの無線タグを用いて、当該機器を含む複数の機器について各機器ごとにユーザインターフェースを個別に設定できる。したがって、各機器ごとにユーザインターフェース設定のためにそれぞれ無線タグを用意する必要がなく、さらに利便性を向上することができる。
【００２８】
上記目的を達成するために、第１２発明は、ユーザインターフェースを備え、複数の操作用ソフトウェアを用いて動作可能な無線タグ読み取り機能付き機器であって、少なくとも、前記複数の操作用ソフトウェアに含まれる各ソフトウェア毎に個別に設定された前記ユーザインターフェースの設定情報を記憶保持しているＩＣ回路部を備えた無線タグとの間で無線通信により情報の送受信を行う第３機器側アンテナと、前記第３機器側アンテナを介し、前記無線タグから前記ユーザインターフェース設定情報を取得する第３情報取得手段と、この第３情報取得手段で取得した前記ユーザインターフェース設定情報に基づき、対応する前記ユーザインターフェースの設定処理を実行する第３設定処理手段とを有することを特徴とする。
【００２９】
本願第１２発明においては、無線タグに、１つの機器のユーザインターフェースの設定情報が記憶されている。したがって、その機器をユーザが使用する際には、第３機器側アンテナを介し無線タグに対し情報読み取りを行い、第３情報取得手段でユーザインターフェースの設定情報を取得する。そして、その取得した情報に基づき、第３設定処理手段で対応するユーザインターフェースの設定処理を実行する。これにより、自動的にその機器を当該ユーザに最も適したユーザインターフェースとすることができる。この結果、わずらわしいユーザインターフェースの設定や設定の呼び出しを行うことなく、ユーザにとって使い勝手のよいユーザインターフェースを提供することができる。また、ユーザインターフェースの設定を、当該機器において使用可能な操作ソフトウェアごとに個別に設定できるので、各種用途等に応じてさらにきめ細かな設定が可能となり、利便性を向上することができる。
【００３０】
第１３発明は、上記第１２発明において、前記複数の操作用ソフトウェアとして、文書作成用ソフトウェア、電子メール送受信用ソフトウェア、ホームページ閲覧用ソフトウェアのうち少なくとも２つを用いて動作可能に構成されたことを特徴とする。
【００３１】
これにより、ユーザインターフェースの設定を、文書作成用ソフトウェア、電子メール送受信用ソフトウェア、ホームページ閲覧用ソフトウェア等のそれぞれごとに個別に設定できるので、各種用途等に応じてさらにきめ細かな設定が可能となり、利便性を向上することができる。
【００３２】
第１４発明は、上記第９乃至第１３発明のいずれかにおいて、ファックス機、プリンタ、コピー機、電話機のうちいずれかであることを特徴とする。
【００３３】
これにより、無線タグを用いて、ファックス機、プリンタ、コピー機、電話機等についてユーザインターフェースを設定することができる。
【００３４】
第１５発明は、上記第９乃至第１３発明のいずれかにおいて、ファックス機能、プリンタ機能、及びコピー機能を備えた複合機であることを特徴とする。
【００３５】
これにより、無線タグを用いて、ファックス機能、プリンタ機能、コピー機能をすべて備えた複合機について、ユーザインターフェースを設定することができる。
【００３６】
第１６発明は、上記第９乃至第１５発明のいずれかにおいて、前記第１設定処理手段、又は前記第２設定処理手段、若しくは前記第３設定処理手段は、前記ユーザインターフェースの設定処理として、表示文字の大きさ設定情報、印字文字の大きさ設定情報、発生音声の大きさ設定情報のうち、少なくとも１つの設定処理を行うことを特徴とする。
【００３７】
これにより、機器をユーザが使用する際には、第１〜第３機器側アンテナのいずれかを介し無線タグに対し情報読み取りを行い、第１〜第３情報取得手段のいずれかでユーザインターフェースの設定情報を取得する。そして、その取得した情報に基づき、第１〜第３設定処理手段のいずれかで対応する設定を行うことで、自動的にその機器を当該ユーザに最も適した大きさの表示文字、又は印字文字、あるいは発生音声に設定することができる。
【発明の効果】
【００３８】
本発明によれば、煩わしい設定等の手間を必要とせず、ユーザにとって使い勝手のよいユーザインターフェースを簡単に提供することができる。
【発明を実施するための最良の形態】
【００３９】
以下、本発明の一実施の形態を図面を参照しつつ説明する。
【００４０】
図１は、本発明の無線タグ及び無線タグ読み取り機能付き機器を適用した複合機システムの全体概略を表す構成図である。
【００４１】
図１に示すこの例において、この複合機システム１は、ファックス機能、プリンタ機能、コピー機能、及び電話機能の４つの機能を備えた無線タグ読み取り機能付き機器としての複合機（１つの機器）２と、この複合機２の複数の動作又は複数の機能ごとに（詳細は後述）ユーザインターフェースの設定情報を記録している無線タグとしてのタグカード３とで構成されている。
【００４２】
この例の複合機１は、下部にプリンタ部４を、上部にスキャナ部５を、側面に受話器６を一体に備えて概略的に幅の広い薄型の直方体形状に形成された複合機本体７と、この本体にケーブル８を介して接続されているアンテナユニット（第１機器側アンテナ）９とを有している。
【００４３】
プリンタ部４の正面には開口部４ａが形成されており、この開口部４ａの内部にはハンドル１１ａを有する給紙トレイ１１及び排紙トレイ１２が上下２段で着脱可能に設けられている。給紙トレイ１１は、被記録媒体である記録用紙を収納するためのものであり、各種サイズの記録用紙が収納可能である。この給紙トレイ１１に収納された記録用紙がプリンタ部４の内部に給送され、プリンタ部４によって画像・文字の印刷・印字が行われて排紙トレイ１２に排出される。
【００４４】
複合機本体７の上部に備えるスキャナ部５は、いわゆるフラットベッドスキャナとして構成されたものである。このスキャナ部５には、複合機本体７の天板として開閉自在に設けられた原稿カバーの下側に原稿を載置するプラテンガラス（図示せず）と、このプラテンガラスの下側で走査可能なイメージセンサ（図示せず）とが設けられている。
【００４５】
複合機本体７の正面上部には、プリンタ部４やスキャナ部５を操作するための操作パネル１３が設けられている。この操作パネル１３は各種操作ボタンや液晶表示部から構成されている。複合機２は操作パネル１３からの操作指示に基づいて動作し、また、ＬＡＮなどのネットワーク回線を介してコンピュータ等に接続されている場合には、そのコンピュータからプリンタドライバ又はスキャナドライバを介して送信される指示に基づいても動作する。
【００４６】
複合機本体７の側面には架台１４が設けられている。この架台１４には、接続コード１５を介して複合機本体７に接続されている受話器６が載置されている。
【００４７】
図２は、本実施形態の複合機システム１の概略を表すシステム構成図である。この図２において、この複合機システム１は、上述したように４つの機能を有する複合機２と、この複合機２によって情報の書き込みと読み出しが行われるタグカード３とを有している。
【００４８】
複合機２は、上述したように複合機本体７と、アンテナユニット９とを有している。複合機本体７は、ＣＰＵ２１と、電話回線網に接続して電話機能の音声信号又はファックス機能の情報信号の送受を行う電話回線通信制御部２２と、ＬＡＮなどのネットワーク回線に接続してコンピュータ等との間に各種の指示信号や印刷画像情報又は読み取り画像情報の送受を行うネットワーク通信制御部２３と、例えばＲＡＭやＲＯＭ等からなるメモリ２４と、上述した操作パネル１３（液晶表示部を除く）や受話器６を含めて操作者（ユーザ）からの指示や情報が入力される操作部２５と、各種情報やメッセージを表示する上記液晶表示部からなる表示部２６と、上記プラテンガラス及びイメージスキャナを有して原稿の画像を読み取る上記スキャナ部５と、上記プリンタ部４からなる印字部２７と、電話の着信音や各種の報知音を発音（音声発生）する音声発生部２８と、上記アンテナユニット９を介してタグカード３に備えられた無線タグ回路素子Ｔoとの無線通信の制御を行うＲＦ通信制御部２９とを備えている。
【００４９】
ＲＦ通信制御部２９は、上記アンテナユニット９を介しタグカード３の内部に備えられた上記無線タグ回路素子ＴoのＩＣ回路部１５０の情報(無線タグ情報)へアクセスする。
【００５０】
ＣＰＵ２１は、ＲＡＭの一時記憶機能を利用しつつＲＯＭに予め記憶されたプログラムに従って信号処理を行い、それによって上記４つの機能やタグカード３との間の情報の送受信等を行うようになっている。すなわち、ＣＰＵ２１は、無線タグ回路素子ＴoのＩＣ回路部１５０から読み出された信号を処理して情報を読み出すとともに無線タグ回路素子ＴoのＩＣ回路部１５０へアクセスするためのアクセス情報を生成する機能を含み、複合機２全体の動作を制御する。
【００５１】
タグカード３は、樹脂などからなるカード本体３ａを有している。このカード本体３ａの内部には、タグ側アンテナ１５１とＩＣ回路部１５０とで構成される無線タグ回路素子Ｔoが内包されている（無線タグ回路素子Ｔoの詳細構造については後述する）。
【００５２】
上記の複合機システム１において、ファックス機能の使用時には電話回線通信制御部２２によって電話回線網から受信した画像情報を印字部２７で印字するか、スキャナ部５で読み取った画像情報を電話回線通信制御部２２によって電話回線網へ送信する。プリンタ機能の使用時には、ネットワーク通信制御部２３によってネットワーク回線から受信した印字情報を印字部２７で印字する。コピー機能の使用時には、スキャナ部５から読み取った画像情報を印字部２７で印字する。電話機能の使用時には受話器６（操作部２５）と電話回線通信制御部２２によって電話回線網との間で音声信号を送受する。また、上記以外にも、各機能の使用時には、表示部に各種のメッセージや情報を表示したり、音声発生部から各種の報知音を発音させる。
【００５３】
また上記の複合機システム１において、ユーザインターフェースの設定時には、操作者がタグカード３をアンテナユニット９の近傍にかざした状態で所定の開始操作を行うことで（あるいはかざしただけで）、複合機本体７がアンテナユニット９を介してタグカード３との間でユーザインターフェースの設定に関する情報の読み取り又は書き込みを行う。
【００５４】
図３は、上記複合機本体７におけるＲＦ通信制御部２９の詳細構成を表す機能ブロック図である。この図３において、ＲＦ通信制御部２９は、アンテナユニット９を介し無線タグ回路素子Ｔoに対して信号（質問波）を送信する送信部２１２と、アンテナユニット９により受信された無線タグ回路素子Ｔoからの信号（応答波）を入力する受信部２１３と、送受分離器２１４とから構成される。
【００５５】
送信部２１２は、無線タグ回路素子ＴoのＩＣ回路部１５０の無線タグ情報にアクセスする(この例では読み取り)ための搬送波を発生させる水晶振動子２１５Ａ、ＣＰＵ２１の制御により所定の周波数の信号を発生させるＰＬＬ（Phase  Locked  Loop）２１５Ｂ、及びＶＣＯ（Voltage  Controlled  Oscillator）２１５Ｃと、上記ＣＰＵ２１から供給される信号に基づいて上記発生させられた搬送波を変調（この例ではＣＰＵ２１からの「ＴＸ＿ＡＳＫ」信号に基づく振幅変調）する送信乗算回路２１６（但し「ＴＸ＿ＡＳＫ信号」の場合は増幅率可変アンプ等を用いてもよい）と、その送信乗算回路２１６により変調された変調波（無線タグ情報）を増幅（この例ではＣＰＵ２１からの「ＴＸ＿ＰＷＲ」信号によって増幅率を決定される増幅）する可変送信アンプ２１７とを備えている。そして、上記発生される搬送波は、例えばＵＨＦ帯、マイクロ波帯、あるいは短波帯の周波数を用いており、上記送信アンプ２１７の出力は、送受分離器２１４を介しアンテナユニット９に伝達されて無線タグ回路素子ＴoのＩＣ回路部１５０に供給される。なお、無線タグ情報は上記のように変調した信号に限られず、単なる搬送波のみの場合もある。
【００５６】
受信部２１３は、アンテナユニット９で受信された無線タグ回路素子Ｔoからの反射波と上記発生させられた搬送波とを乗算して復調する受信第１乗算回路２１８と、その受信第１乗算回路２１８の出力から必要な帯域の信号のみを取り出すための第１バンドパスフィルタ２１９と、この第１バンドパスフィルタ２１９の出力を増幅する受信第１アンプ２２１と、この受信第１アンプ２２１の出力をさらに増幅してデジタル信号に変換する第１リミッタ２２０と、上記アンテナユニット９で受信された無線タグ回路素子Ｔoからの反射波と上記発生された後に移相器２２７により位相を９０°遅らせた搬送波とを乗算する受信第２乗算回路２２２と、その受信第２乗算回路２２２の出力から必要な帯域の信号のみを取り出すための第２バンドパスフィルタ２２３と、この第２バンドパスフィルタ２２３の出力を増幅する受信第２アンプ２２５と、この受信第２アンプ２２５の出力をさらに増幅してデジタル信号に変換する第２リミッタ２２４とを備えている。そして、上記第１リミッタ２２０から出力される信号「ＲＸＳ−Ｉ」及び第２リミッタ２２４から出力される信号「ＲＸＳ−Ｑ」は、上記ＣＰＵ２１に入力されて処理される。
【００５７】
また、受信第１アンプ２２１及び受信第２アンプ２２５の出力は、強度検出手段としてのＲＳＳＩ（Received  Signal  Strength  Indicator)回路２２６にも入力され、それらの信号の強度を示す信号「ＲＳＳＩ」がＣＰＵ２１に入力されるようになっている。このようにして、本実施形態では、Ｉ−Ｑ直交復調によって無線タグ回路素子Ｔoからの反射波の復調が行われる。
【００５８】
図４は、上記タグカード３に備えられた上記無線タグ回路素子Ｔoの機能的構成の一例を表すブロック図である。
【００５９】
図４において、無線タグ回路素子Ｔoは、上述したように複合機２のアンテナユニット９と例えばＵＨＦ帯やマイクロ波や短波帯等の高周波を用いて非接触で信号の送受信を行うタグ側アンテナ１５１と、このタグ側アンテナ１５１に接続されたＩＣ回路部１５０とを有している。
【００６０】
ＩＣ回路部１５０は、タグ側アンテナ１５１により受信された質問波を整流する整流部１５２と、この整流部１５２により整流された質問波のエネルギを蓄積し駆動電源とするための電源部１５３と、上記タグ側アンテナ１５１により受信された質問波からクロック信号を抽出して制御部（後述）１５７に供給するクロック抽出部１５４と、所定の情報信号を記憶し得る（情報記憶部として機能する）メモリ部１５５と、上記タグ側アンテナ１５１に接続された変復調部１５６と、上記メモリ部１５５、整流部１５２、クロック抽出部１５４、及び変復調部１５６等を介して上記無線タグ回路素子Ｔoの作動を制御するための制御部１５７とを備えている。
【００６１】
変復調部１５６は、タグ側アンテナ１５１により受信された上記複合機２のアンテナユニット９からの通信信号の復調を行うと共に、上記制御部１５７からの返信信号に基づき、アンテナユニット９より受信された質問波を変調し、タグ側アンテナ１５１より応答波として再送信する。
【００６２】
制御部１５７は、上記変復調部１５６により復調された受信信号を解釈し、上記メモリ部１５５において記憶された情報信号に基づいて返信信号を生成し、上記変復調部１５６により返信する制御等の基本的な制御を実行する。
【００６３】
クロック抽出部１５４は受信した信号からクロック成分を抽出して制御部１５７にクロックを抽出するものであり、受信した信号のクロック成分の速度に対応したクロックを制御部１５７に供給する。
【００６４】
以上において、本実施形態の最も大きな特徴は、複合機２が行う上記４つの機能において、動作（後述）ごとに操作者個人に最適なユーザインターフェースを設定し、その設定をタグカード３に読み出し可能に記憶させたことにある。以下、その詳細を順を追って説明する。
【００６５】
まず、本実施形態の例において無線タグ回路素子Ｔoに記録保持される複合機ユーザインターフェース設定テーブルについて説明する。
【００６６】
図５は、無線タグ回路素子Ｔoのメモリ部１５５に記録される複合機ユーザインターフェース設定テーブルの一例を概念的に表す図である。
【００６７】
ここでユーザインターフェースとは、上記の各動作機能の操作に関係する機能に関して、操作者個人の身体的能力、知識的能力、又は好み応じて調整可能なパラメータ群又はそれらパラメータ群を具現化する部位を意味するものである。本明細書ではそれらパラメータ群と具現化部位を概念的に総称したものをユーザインターフェースとする。
【００６８】
図５に示す複合機ユーザインターフェース設定テーブルでは、上記４つの機能に関し、動作（後述）別にユーザインターフェースが設定されている。
【００６９】
電話機能用のユーザインターフェース設定としては、表示部２６における表示動作、音声発生部２８における発音動作についての設定がそれぞれ行われる。表示動作においては、表示文字サイズがこの例では「１５ポイント」に設定されている。発音動作においては、着信を知らせる報知音のパターンがこの例では所定の「パターン２」に設定され、その着信報知音を発音させる際の音量がこの例では「１０」に設定されている。
【００７０】
ファックス機能用のユーザインターフェース設定としては、表示部２６における表示動作、印字部２７における印字動作、音声発生部２８における発音動作についての設定がそれぞれ行われる。表示動作においては、表示文字サイズがこの例では上記同様の「１５ポイント」に設定されている。印字動作においては、印字文字サイズがこの例では「１５ポイント」に設定されている。発音動作においては、ファックス送信（又は受信）完了を知らせる報知音のパターンがこの例では所定の「パターン３」に設定され、その完了報知音を発音させる際の音量がこの例では「５」に設定されている。
【００７１】
プリンタ機能用のユーザインターフェース設定としては、表示部２６における表示動作、印字部２７における印字動作、音声発生部２８における発音動作についての設定がそれぞれ行われる。表示動作においては、表示文字サイズがこの例では「１０ポイント」に設定されている。印字動作においては、印字文字サイズがこの例では「１０ポイント」に設定されている。発音動作においては、プリントアウト完了を知らせる報知音のパターンがこの例では所定の「パターン１」に設定され、その完了報知音を発音させる際の音量がこの例では「５」に設定されている。
【００７２】
コピー機能用のユーザインターフェース設定としては、表示部２６における表示動作、印字部２７における印字動作、音声発生部２８における発音動作についての設定がそれぞれ行われる。表示動作においては、表示文字サイズがこの例では上記同様「１０ポイント」に設定されている。印字動作においては、印字文字サイズがこの例では上記同様「１０ポイント」に設定されている。発音動作においては、コピー完了を知らせる報知音のパターンがこの例では所定の「パターン５」に設定され、その完了報知音を発音させる際の音量がこの例では上記同様「５」に設定されている。
【００７３】
上記の例では、表示部２６における表示動作について、プリンタ機能用及びコピー機能用における表示文字サイズ（表示文字の大きさ）はいずれも１０ポイントに設定されている。これに対し、電話機能用及びファクス機能用における表示文字サイズ（表示文字の大きさ）は、通信相手の電話番号やファックス番号を強調し、間違い電話や間違い送信を確実に防止するために、上記１０ポイントよりも大きい１５ポイントに設定されている。
【００７４】
また、音声発生部２８における発音動作について、ファックス機能用、プリンタ機能用、及びコピー機能用における完了報知音音量（発生音声の大きさ）はいずれも５に設定されている。これに対し、電話機能用における着信報知音音量（発生音声の大きさ）は、電話が着信したことが遠い位置からでも明確に聞き取れるように、上記５よりも大きい１０に設定されている。さらに、着信報知音や完了報知音のパターンは、４つの機能をそれぞれ明確に区別できるように、すべて互いに異なるパターンに設定されている。
【００７５】
また、印字部２６における印字動作について、プリンタ機能用及びコピー機能用にける印字文字サイズ（印字文字の大きさ）はいずれも１０ポイントに設定されている。これに対し、ファックス機能用における印字文字サイズ（印字文字の大きさ）は、通信相手のファックス番号などを強調し、正当な相手であることを容易に確認できるように、上記１０ポイントよりも大きい１５ポイントに設定されている。
【００７６】
なお、上記の設定は、いったんタグカード３の無線タグ回路素子Ｔoに書き込まれた後は書き換え不能となるように記憶されていてもよいし、書き込み後もアンテナユニット９を介した通信によりさらに書き換え可能としてもよい。さらに、タグカード３自体、予め上記したユーザインターフェースの設定が記憶されており、アンテナユニット９側からは一切書き換え不能（読み取りのみ可能）とされている場合も考えられる。
【００７７】
図６は、複合機本体７のＣＰＵ２１によってタグカード３へユーザインターフェースの設定を記録する制御手順を表すフローチャートである。図６において、例えば操作部２５において設定情報の記録を開始する操作が行われるとこのフローが開始される。
【００７８】
まず、ステップＳ１０において、例えば複合機本体７の操作部２５での操作により設定された上記各種のユーザインターフェース設定情報を入力（取得）する。
【００７９】
次にステップＳ２０へ移り、操作部２５においてタグカード３へのユーザインターフェース設定情報の記録を開始する指示操作が行われたか否かを判定する。記録開始の指示操作の入力が検出されない間は、ループして待機する。この間、表示部２６にタグカード３をアンテナユニット９の近傍にかざすよう操作者に指示するメッセージを表示する。上記メッセージ表示に従って操作者が自分の所有するタグカード３をアンテナユニット９の近傍にかざし、記録開始の指示操作をすると、ステップＳ２０の判定が満たされ、次のステップＳ３０へ移る。
【００８０】
ステップＳ３０では、上記ステップＳ１０の手順で入力されたユーザインターフェース設定情報を含む書き込みコマンドを、ＲＦ通信制御部２９及びアンテナユニット９を介し、タグカード３の無線タグ回路素子Ｔoに対し無線通信により送信し書き込みを行う（記録させる）。
【００８１】
次にステップＳ４０へ移り、タグカード３の無線タグ回路素子Ｔoから上記書き込みコマンドに対する応答信号をアンテナユニット９及びＲＦ通信制御部２９を介して受信し、その応答信号の内容から無線タグ回路素子Ｔoにおいてユーザインターフェース設定情報の記録が成功したか否かを判定する。情報の記録が成功した場合には、判定が満たされ、次のステップＳ５０に移る。
【００８２】
ステップＳ５０では、表示部２６での表示及び音声発生部２８での発音により記録成功を報知し、このフローを終了する。
【００８３】
一方、上記ステップＳ４０において、アンテナユニット９の近傍にタグカード３が配置されていなかったり、無線通信の不調などの理由により設定情報の記録が失敗した場合には、判定が満たされず、ステップＳ６０へ移る。ステップＳ６０では、表示部２６での表示及び音声発生部２８での発音（例えば上記記録成功の場合と異なる報知音で発音してもよい）により記録失敗を報知し、ステップＳ２０に戻り同様の手順を繰り返す。
【００８４】
図７は、複合機本体７のＣＰＵ２１によってタグカード３から設定情報を読み取る制御手順を表すフローチャートである。図７において、例えば操作部２５において設定情報の読み取りを開始する操作が行われるとこのフローが開始される。
【００８５】
まず、ステップＳ１１０で、表示部２６にタグカード３をアンテナユニット９の近傍にかざすよう操作者に指示するメッセージを表示させ、操作部２５においてタグカード３からの設定情報の受信を開始する指示操作が行われたか否かを判定する。指示操作がされるまでは判定が満たされずにループして待機する。前述のメッセージ表示に従って操作者が自分の所有するタグカード３をアンテナユニット９の近傍にかざし、受信開始の指示操作をすると、ステップＳ１１０の判定が満たされ、次のステップＳ１２０へ移る。
【００８６】
ステップＳ１２０では、ＲＦ通信制御部２９及びアンテナユニット９を介し、タグカード３の無線タグ回路素子Ｔoに対し設定情報を送信させる読み取りコマンドを無線通信により送信し、無線タグ回路素子Ｔoに記憶された情報（上述したユーザインターフェースの設定情報）の受信を行う（第１情報取得手段）。
【００８７】
次にステップＳ１３０へ移り、上記ステップＳ１２０の手順における設定情報の受信が成功したか否かを（公知の手法で）判定する。上記インターフェース設定情報の受信が成功した場合には、判定が満たされ、次のステップＳ１４０に移る。
【００８８】
ステップＳ１４０では、表示部２６での表示及び音声発生部２８での発音により受信成功を報知する。その後、ステップＳ１５０において、上記インターフェース設定情報を各動作機能で適用できるようメモリ２４に格納する（第１設定処理手段）。ステップＳ１５０が完了したら、このフローを終了する。
【００８９】
一方、上記ステップＳ１３０の判定において、アンテナユニット９の近傍にタグカード３が配置されていなかったり、無線通信の不調などの理由により設定情報の受信が失敗した場合には、判定が満たされず、ステップＳ１６０へ移る。ステップＳ１６０では、表示部２６での表示及び音声発生部２８での発音により受信失敗を報知し、ステップＳ１１０に戻り同様の手順を繰り返す。
【００９０】
以上説明したように、本実施形態においては、タグカード３のＩＣ回路部に、１つの複合機２のユーザインターフェースの設定情報が記憶されている。そして、複合機２を操作者が使用する際には、タグカード３のＩＣ回路部に対し情報読み取りを行い、当該複合機２においてユーザインターフェースの設定情報を取得させる。この結果、自動的にその複合機２を当該操作者に最も適したユーザインターフェースとすることができる。この結果、わずらわしいユーザインターフェースの設定や設定の呼び出しを行うことなく、操作者にとって使い勝手のよいユーザインターフェースを提供することができる。
【００９１】
また、上記図５において例示したように、ユーザインターフェースの設定を、当該複合機２に備えられた表示部２６での表示動作、印字部２７での印字動作、音声発生部２８での発音動作（音声発生動作）等、各動作ごとに個別に設定することができる。すなわち、各動作ごとにユーザの好み等に応じたきめ細かな設定が可能となり、利便性を向上することができる。さらに、このようなユーザインターフェースの設定情報を操作者個人が所有するタグカードに記憶させているため、各操作者が容易にユーザインターフェースを変更することも可能である。
【００９２】
また、上記図５において例示したように、上記各種動作（表示部２６での表示動作、印字部２７での印字動作、音声発生部２８での発音動作等）のユーザインターフェースの設定を、複合機２の機能（ファックス機能、プリンタ機能、コピー機能、電話機能）ごとに個別に設定することができる。すなわち、（ある共通の動作について）上記の各機能ごとにユーザの好み等に応じたきめ細かな設定が可能となり、利便性を向上することができる。図８（ａ）及び図８（ｂ）は、このことを説明するための図であり、上記共通の動作の一例として表示部２６での表示例を表す図である。
【００９３】
図８（ａ）は、上記図５で示したユーザインターフェースの設定を適用した場合の、プリンタ機能の使用時における表示部２６の表示例を表している。図示するように、表示部２６における表示文字サイズは通常の大きさ（前述したようにこの例では１０ポイント）で表示されている。
【００９４】
これに対して図８（ｂ）は、同じく上記図５で示したユーザインターフェースの設定を適用した場合の電話機能の使用時における表示部２６の表示例を表している。図示するように、通話先番号の表示が強調されるように、表示部２６における表示文字サイズが上記図８（ａ）のプリンタ機能の場合よりも大きい（前述したようにこの例では１５ポイント）表示となっている。このように、同じ複合機２においても、「表示」という共通の動作について、「プリンタ機能」「電話機能」等の異なる機能ごとに、ユーザインターフェースがそれぞれ設定可能である。これにより、各機能の各動作について、ユーザの好み等に応じた適切な差異を持たせることができる。そして、このようなユーザインターフェースの設定情報を操作者個人が所有するタグカードに記憶させているため、各操作者が容易にユーザインターフェースを変更することも可能である。
【００９５】
なお、上記では、タグカード３の無線タグ回路素子Ｔoに全てのユーザインターフェースの設定情報を記憶させていたが、これに限られない。すなわち、例えば複合機本体７のメモリ２４（あるいは上記ネットワーク回線に接続された適宜の外部記憶装置のデータベース）に、操作者ごとに対応してその操作者が所有するタグカード３の無線タグ回路素子Ｔoの識別情報（タグＩＤ）及びユーザインターフェースの設定情報を記憶しておく。そして、操作者のタグカード３からはその識別情報を読み取ってそれに対応するユーザインターフェースの設定情報を取得し、各動作に適用するよう設定してもよい。
【００９６】
なお、本発明は、上記実施形態に限られるものではなく、その趣旨及び技術思想を逸脱しない範囲で種々の変形が可能である。以下、そのような変形例を順を追って説明する。
【００９７】
（１）複数の機器ごとにユーザインターフェースを設定する場合
上記実施形態では、１つの機器における複数の動作又は複数の機能ごとにユーザインターフェースを設定していたが、本発明はこれに限られず、例えば複数の機器ごとにユーザインターフェースを設定するようにしてもよい。
【００９８】
図９は、本変形例を説明するための概念図である。図９において、本変形例は、それぞれ独立した構成のプリンタ１０２、ファックス機１０３、コピー機１０４、電話機１０５（以上、複数の機器、無線タグ読み取り機能付き機器）が設けられている。そして、これら各機器１０２〜１０５のそれぞれについて、ユーザインターフェースの設定がタグカード３に記録されている。
【００９９】
特に図示しないが、各機器１０２〜１０５はそれぞれ上記実施形態におけるＣＰＵ２１、メモリ２４、操作部２５、表示部２６、音声発生部２８、ＲＦ通信制御部２９、アンテナユニット（第２機器側アンテナ；図９に図示）９と同等のもの（以下、同一名称、同一符号にて表す）を基本構成部としてそれぞれ個別に備えている。そして、さらにプリンタ１０２にはネットワーク通信制御部２３及び印字部２７と同等のもの（以下、同一名称、同一符号にて表す）を備え、ファックス機１０３には電話回線通信制御部２２、スキャナ部５、及び印字部２７と同等のもの（以下、同一名称、同一符号にて表す）を備え、コピー機１０４にはスキャナ部５及び印字部２７と同等のもの（以下、同一名称、同一符号にて表す）を備え、電話機１０５には電話回線通信制御部２２と同等のもの（以下、同一名称、同一符号にて表す）を備え、上記実施形態の複合機２においてそれぞれ対応する機能動作と同等の動作を行えるようになっている。
【０１００】
そしてタグカード３の無線タグ回路素子Ｔoには、上記図５と同等のユーザインターフェースの設定情報を各機器１０２〜１０５ごとに対応して記憶されている。この場合、各機器１０２〜１０５が上記図７の設定読み取りの制御手順を行う際には、ステップＳ１２０（第２情報取得手段）においてタグカード３から自機の機能に対応する設定情報だけを受信し、ステップＳ１５０（第２設定処理手段）で適用可能に格納・設定する。
【０１０１】
以上のように構成した本変形例においても、上記実施形態と同様に、各機器１０２〜１０５においてわずらわしいユーザインターフェースの設定や設定の呼び出しを行うことなく、操作者にとって使い勝手のよいユーザインターフェースを提供することができる。また、このタグカード３を１つ用いて、プリンタ１０２、ファックス機１０３、コピー機１０４、電話機等１０５の複数の機器について各機器１０２〜１０５ごとにユーザインターフェースを個別に設定できる。したがって、各機器１０２〜１０５ごとにユーザインターフェース設定のためにそれぞれタグカード３を用意する必要がなく、さらに利便性を向上することができる。
【０１０２】
（２）１つの機器で複数のアプリケーションソフトごとにユーザインターフェースを設定する場合
上記実施形態では、１つの機器における複数の動作機能ごとにユーザインターフェースを設定していたが、本発明はこれに限られず、例えば同じ一つの機器において実行される複数のアプリケーションソフトごとに対応してユーザインターフェースを設定するようにしてもよい。
【０１０３】
図１０は、本変形例を説明するための概念図である。図１０において、本変形例は、複数のアプリケーションソフト（複数の操作用ソフトウェア）を実行可能な１台の汎用コンピュータ（複数の操作用ソフトウェアを用いて動作可能な機器、無線タグ読み取り機能付き機器；いわゆるパーソナルコンピュータなど）が設けられている。各アプリケーションソフトのそれぞれのユーザインターフェースの設定が、タグカード３に記録されている。
【０１０４】
特に図示しないが、上記汎用コンピュータ２０３は上記実施形態におけるＣＰＵ２１、ネットワーク通信制御部２３、メモリ２４、操作部２５、表示部２６、音声発生部２８、ＲＦ通信制御部２９、アンテナユニット（第３機器側アンテナ；図１０に図示）９と同等のものを備えている（以下、同一名称、同一符号にて表す）。また汎用コンピュータ２０３は、印字部２７に相当するプリンタ部も備えている（あるいは別体のプリンタに接続されていてもよい。以下単に「印字部２７」という）。そしてさらに、一般的に上記複数のアプリケーションソフトウェアのプログラムや各種データを記録するハードディスク装置などの不揮発性の大容量記憶装置を備えている（特に図示せず）。
【０１０５】
この変形例において、上記汎用コンピュータ２０２が記憶・実行する上記複数のアプリケーションソフトの例としては、文書作成用ソフト、電子メール送受信用ソフト、ホームページ閲覧用ソフト等があるが、他にも多様なアプリケーションソフトを対象としてもよい。
【０１０６】
図１１は、本変形例において無線タグ回路素子Ｔoのメモリ部１５５に記録されるアプリケーション用ユーザインターフェース設定テーブルの一例を概念的に表す図である。
【０１０７】
図１１に示すアプリケーション用ユーザインターフェース設定テーブルは、上記汎用コンピュータ２０３に関し、各アプリケーションソフト別にユーザインターフェースが設定されている。
【０１０８】
文書作成用ソフト用（図中ではワープロ用と記載）用のユーザインターフェース設定としては、表示部２６における表示動作、印字部２７における印字動作、音声発生部２８における発音動作についての設定がそれぞれ行われる。表示動作においては、表示文字サイズがこの例では「１０ポイント」に設定されている。印字動作においては、印字文字サイズがこの例では「１０ポイント」に設定されている。発音動作においては、操作クリック音の音量がこの例では「ＯＦＦ（音量ゼロ）」に設定されている。
【０１０９】
電子メール送受信用ソフト（図中ではメール用と記載）用のユーザインターフェース設定としては、上記同様、表示部２６における表示動作、印字部２７における印字動作、音声発生部２８における発音動作についての設定がそれぞれ行われる。表示動作においては、表示文字サイズがこの例では「１５ポイント」に設定されている。印字動作においては、印字文字サイズがこの例では「１５ポイント」に設定されている。発音動作においては、操作クリック音の音量がこの例では「ＯＮ（所定の音量あり）」に設定されている。
【０１１０】
ホームページ閲覧用ソフト（図中ではブラウザ用と記載）用のユーザインターフェース設定としては、上記同様、表示部２６における表示動作、印字部２７における印字動作、音声発生部２８における発音動作についての設定がそれぞれ行われる。表示動作においては、表示文字サイズがこの例では「１５ポイント」に設定されている。印字動作においては、印字文字サイズがこの例では「１５ポイント」に設定されている。発音動作においては、操作クリック音の音量がこの例では「ＯＮ（所定の音量あり）」に設定されている。
【０１１１】
図示の例では、電子メール送受信用ソフトとホームページ閲覧用ソフトにおける表示文字サイズ及び印字文字サイズが１５ポイントに設定されている。これに対し、文書作成用ソフトでは、表示・印字する文字の量が比較的多くなることから、表示文字サイズや印字文字サイズを上記よりも小さい１０ポイントに設定されている。
【０１１２】
また、電子メール送受信用ソフトとホームページ閲覧用ソフトにおいては操作クリック音が発音する（ＯＮ）ように設定されている。これに対し、文書作成用ソフトにおいてはキーボードを含めた操作部２５の操作量が比較的多くなることから、操作クリック音を発音させない（ＯＦＦ）ように設定されている。
【０１１３】
なお、本変形例では、汎用コンピュータ２０３において上記図７のユーザインターフェースの設定読み取りの制御手順を行い、その際にはステップＳ１２０（第３情報取得手段）においてタグカード３からユーザインターフェースの設定情報を受信し、ステップＳ１５０（第３設定処理手段）で適用可能に格納・設定する。そして、汎用コンピュータ２０３で各種ソフトウェアが起動されたとき、格納・設定したユーザインターフェース設定のうちその起動されたソフトウェアに対応したものが読み出され、実行される。なお、先に汎用コンピュータ２０３で各種ソフトウェアを起動させておき、ステップＳ１２０においてタグカード３からその起動したソフトウェアに関連したユーザインターフェース設定情報のみを受信し、ステップＳ１５０でその読み取ったユーザインターフェース設定を格納するようにしてもよい。
【０１１４】
以上のように構成した本変形例においても、上記実施形態と同様に、汎用コンピュータに各アプリケーションソフトを実行させる際においてわずらわしいユーザインターフェースの設定や設定の呼び出しを行うことなく、操作者にとって使い勝手のよいユーザインターフェースを提供することができる。また、ユーザインターフェースの設定を、文書作成用ソフトウェア、電子メール送受信用ソフトウェア、ホームページ閲覧用ソフトウェア等のそれぞれごとに個別に設定できるので、各種用途等に応じてさらにきめ細かな設定が可能となり、利便性を向上することができる。
【０１１５】
なお、アプリケーションソフトを実行させる機器は上記汎用コンピュータ２０２に限られず、例えば電子メール送受信用ソフトウェアやホームページ閲覧用ソフトウェアなどを実行可能な携帯電話機などに本変形例を適用してもよい。この場合には携帯電話のアンテナをアンテナユニット９として機能させることもできる。
【０１１６】
また、以上既に述べた以外にも、上記実施形態や各変形例による手法を適宜組み合わせて利用しても良い。
【０１１７】
その他、一々例示はしないが、本発明は、その趣旨を逸脱しない範囲内において、種々の変更が加えられて実施されるものである。
【図面の簡単な説明】
【０１１８】
【図１】本発明の一実施形態の適用対象である複合機システムの全体概略を表す構成図である。
【図２】複合機システムの概略を表すシステム構成図である。
【図３】複合機本体におけるＲＦ通信制御部の詳細構成を表す機能ブロック図である。
【図４】タグカードに備えられた無線タグ回路素子の機能的構成の一例を表すブロック図である。
【図５】タグカードの無線タグ回路素子に記録される複合機ユーザインターフェース設定テーブルの一例を概念的に表す図である。
【図６】複合機本体のＣＰＵによってタグカードへ設定情報を記録する制御手順を表すフローチャートである。
【図７】複合機本体のＣＰＵによってタグカードから設定情報を読み取る制御手順を表すフローチャートである。
【図８】ユーザインターフェースの設定が適用された表示部での表示例を表す図である。
【図９】複数の機器ごとにユーザインターフェースを設定する変形例を表す説明図である。
【図１０】１つの機器で複数のアプリケーションソフトごとにユーザインターフェースを設定する変形例を表す説明図である。
【図１１】タグカードの無線タグ回路素子に記録されるアプリケーション用ユーザインターフェース設定テーブルの一例を概念的に表す図である。
【符号の説明】
【０１１９】
１                複合機システム
２                複合機（１つの機器、無線タグ読み取り機能付き機器）
３                タグカード（無線タグ）
５                スキャナ部
６                受話器
７                複合機本体
９                アンテナユニット（第１機器側アンテナ、第２機器側アンテナ、第３機器側アンテナ）
２１              ＣＰＵ
２２              電話回線通信制御部
２３              ネットワーク通信制御部
２４              メモリ
２５              操作部
２６              表示部
２７              印字部
２８              音声発生部
２９              ＲＦ通信制御部
１０２            プリンタ（複数の機器、無線タグ読み取り機能付き機器）
１０３            ファックス機（複数の機器、無線タグ読み取り機能付き機器）
１０４            コピー機（複数の機器、無線タグ読み取り機能付き機器）
１０５            電話機（複数の機器、無線タグ読み取り機能付き機器）
２０２            汎用コンピュータ（複数の操作用ソフトウェアを用いて動作可能な機器、無線タグ読み取り機能付き機器）
【図１】
2008305092.tif 000003
【図２】
2008305092.tif 000004
【図３】
2008305092.tif 000005
【図４】
2008305092.tif 000006
【図５】
2008305092.tif 000007
【図６】
2008305092.tif 000008
【図７】
2008305092.tif 000009
【図８】
2008305092.tif 000010
【図９】
2008305092.tif 000011
【図１０】
2008305092.tif 000012
【図１１】
2008305092.tif 000013